(57)【要約】【課題】作業が簡単で効率よく、よって長時間の作業でも疲労が少なく、良好な切目を得ることができる、小枝落としに適した手鋸の提供を課題とする。【解決手段】小枝落としに適した手鋸１であって、湾曲した状態に構成したグリップ１０と、該グリップ１０から突出する状態に設けられたブレード２０からなり、前記ブレード２０の腹側２０ａには枝落とし主刃２１を設け、ブレード２０の背側２０ｂは、ブレード２０の基端部から先端部に向けて徐々にブレード幅Ｗが狭くなるように傾斜構成すると共に、前記ブレード２０の背側２０ｂの先端部から全長の１／４乃至１／２の部分を刃のない傾斜案内部２３とし、該傾斜案内部２３に続く領域に枝落とし補助刃２２を設けてある。【選択図】      図２
0003213441.tif 000002
【実用新案登録請求の範囲】
【請求項１】
小枝落としに適した手鋸であって、湾曲した状態に構成したグリップと、該グリップから突出する状態に設けられたブレードからなり、前記ブレードの腹側には枝落とし主刃を設け、ブレードの背側は、ブレードの基端部から先端部に向けて徐々にブレード幅が狭くなるように傾斜構成すると共に、前記ブレードの背側の先端部から全長の１／４乃至１／２の部分を刃のない傾斜案内部とし、該傾斜案内部に続く領域に枝落とし補助刃を設けてあることを特徴とする手鋸。
【請求項２】
枝落とし主刃はブレードの腹側の略全長に亘って設けられ、枝落とし補助刃はブレードの背側の傾斜案内部に続く領域に部分的に設けられていることを特徴とする請求項１に記載の手鋸。
【請求項３】
ブレードの背側の枝落とし補助刃は、ブレードの腹側の枝落とし主刃に比べて、個々の歯を小さく構成してあることを特徴とする請求項１又は２に記載の手鋸。
【請求項４】
ブレードの背側の枝落とし補助刃は、ブレードの腹側の枝落とし主刃に比べて、個々の歯の傾斜度合を小さく構成してあることを特徴とする請求項１〜３の何れかに記載の手鋸。
【請求項５】
傾斜案内部は、ブレードの先端部に向けてブレード幅が徐々に小さくなるよう曲面形状に構成すると共に、ブレードの先端部においてはブレードの腹側に湾曲して連続するよう湾曲面に構成してあることを特徴とする請求項１〜４の何れかに記載の手鋸。
【請求項６】
グリップの腹側の先端部と基端部には滑り止めのための膨出部を構成してあることを特徴とする請求項１〜５の何れかに記載の手鋸。
【考案の詳細な説明】
【技術分野】
【０００１】
本考案は手鋸に関する。より詳しくは、小枝落としに適した手鋸に関する。
【背景技術】
【０００２】
果樹園やその他において、好ましくない或いは無駄な小枝等を切り落として樹木の剪定をする必要が生じる。
この場合、作用者は多数の小枝を次々と効率よく切り落としていく必要がある。このような多数の小枝を次々と落としていく作業には、軽くて扱い易い手鋸が好まれる。
そして取扱いの点で言えば、片手で持って作業ができる片手鋸が好まれる。
【先行技術文献】
【特許文献】
【０００３】
【特許文献１】実用新案登録第３０３６１３８号公報
【特許文献２】特開平９−２０５８８７号公報
【特許文献３】特開平１１−２０７７０２号公報
【考案の概要】
【考案が解決しようとする課題】
【０００４】
上記特許文献１には、いわゆる両刃鋸が開示されている。ここに示される両刃鋸は、ブレードの両側に何れも本格的な切歯が全長に亘って設けられており、大工道具等としては便利であるが、ブレード幅が広く、密接した枝の間に鋸を差し入れるには適していない。またブレードが一般的に屈曲し易いため、密接した枝の間に鋸を差し入れようとすると作業がし難い問題がある。
上記特許文献２には剪定用根切り刃付鋸が開示されている。ここに示される鋸は、ブレードの片側に剪定用刃を設け、ブレードの他側に根切り専用刃を設けている。この鋸には、剪定に用いられる刃はブレードの片側だけに設けられており、枝の剪定用鋸としては片刃鋸と言えるものである。
【０００５】
上記特許文献３には剪定鋸が開示されている。この鋸は片刃鋸で、ブレード幅が小さく、枝間への鋸の差入れが容易である。また実質的に片手で作業ができるような形状となっている。
一方、この鋸は、枝の上面から切断するには適した形になっているが、枝をその下面から切り込む場合には、持ち手を上下逆に返して作業をしなければならない構造となっている。従って剪定作業が必ずしも容易ではなく、作業が進まないと共に、疲労し易いという問題ある。
と言うのは、枝を剪定するのに枝の上面から切り込んでいく場合、枝が完全に切り落とされる前に、枝の下皮等が一部切れ残ったまま枝が折れ下がる等、枝の切目が不良となる問題が生じる。そしてこのような問題をなくすには、予め枝の下面に切目を入れるのが好ましいのであるが、上記特許文献３に示すような片刃鋸では、枝の下面に切目を入れるには、その都度、持ち手を上下逆に返して鋸の向きを上下変更しなければならないからである。
【０００６】
そこで本考案は上記従来技術の問題を解消し、作業が簡単で効率よく、よって長時間の作業でも疲労が少なく、良好な切目を得ることができる、小枝落としに適した手鋸の提供を課題とする。
【課題を解決するための手段】
【０００７】
本考案の手鋸は、小枝落としに適した手鋸であって、湾曲した状態に構成したグリップと、該グリップから突出する状態に設けられたブレードからなり、前記ブレードの腹側には枝落とし主刃を設け、ブレードの背側は、ブレードの基端部から先端部に向けて徐々にブレード幅が狭くなるように傾斜構成すると共に、前記ブレードの背側の先端部から全長の１／４乃至１／２の部分を刃のない傾斜案内部とし、該傾斜案内部に続く領域に枝落とし補助刃を設けてあることを第１の特徴としている。
また本考案の手鋸は、上記第１の特徴に加えて、枝落とし主刃はブレードの腹側の略全長に亘って設けられ、枝落とし補助刃はブレードの背側の傾斜案内部に続く領域に部分的に設けられていることを第２の特徴としている。
また本考案の手鋸は、上記第１又は第２の特徴に加えて、ブレードの背側の枝落とし補助刃は、ブレードの腹側の枝落とし主刃に比べて、個々の歯を小さく構成してあることを第３の特徴としている。
また本考案の手鋸は、上記第１〜第３の何れかの特徴に加えて、ブレードの背側の枝落とし補助刃は、ブレードの腹側の枝落とし主刃に比べて、個々の歯の傾斜度合を小さく構成してあることを第４の特徴としている。
また本考案の手鋸は、上記第１〜第４の何れかの特徴に加えて、傾斜案内部は、ブレードの先端部に向けてブレード幅が徐々に小さくなるよう曲面形状に構成すると共に、ブレードの先端部においてはブレードの腹側に湾曲して連続するよう湾曲面に構成してあることを第５の特徴としている。
また本考案の手鋸は、上記第１〜第５の何れかの特徴に加えて、グリップの腹側の先端部と基端部には滑り止めのための膨出部を構成してあることを第６の特徴としている。
【考案の効果】
【０００８】
請求項１に記載の手鋸によれば、グリップを手で持ち、切断したい枝にブレードの枝落とし主刃を当て、鋸を前後に動かすことで枝を切り落とす。枝の切り落としに際しては、先ず枝の下面側に鋸のブレードを、背側が上で腹側が下となる鋸の通常姿勢で差し入れ、その通常姿勢のまま背側にある枝落とし補助刃で枝の下面に切筋を入れる。そして、そのまま鋸を引き出した後、その位置で更に通常姿勢のまま今度は鋸を枝の上面側に差し入れ、ブレードの腹側にある枝落とし主刃で枝の上面から切り込んでゆく。すると枝落とし主刃による切り込みは、その最後に前記枝落とし補助刃による下面からの切筋と略合致し、或いは裂け目が相互に連絡され、従って枝の下皮等が一部切れ残ったまま枝が折れ下がる等の切目不良が生じることなく、確実に切り離される。
よって請求項１の手鋸によれば、湾曲したブリップを片手で持ち、鋸のブレードの姿勢を切断に適した姿勢に保持したままで、手を途中で返して鋸の姿勢を反転させることなく、鋸の上下方向の移動と前後方向の切断動作のみで、目的とする枝の切断を行うことができる。
前記ブレードの背側の枝落とし補助刃の前方にある傾斜案内部は、鋸のブレードを枝の下側の空間に差し入れる際に、無刃で先細りの傾斜によって、狭い空間へのスムーズな差入れを可能とし、且つ枝落とし補助刃による切筋に沿ってブレードの引き出しをガイドするため、それに続く枝落とし主刃の枝上面への当接位置を前記枝落とし補助刃による切筋に容易、確実に一致乃至近接させることが可能となる。
前記枝落とし傾斜案内部の位置は、ブレードの先端部から全長の１／４乃至１／２の部分とすることで、ガイド効果が大きい。
またブレードの背側をブレードの基端側から先端側に向けて徐々にブレードの幅が狭くなるように傾斜構成することで、ブレードの枝間の差入れが容易にできる。
以上より、請求項１に記載の手鋸によれば、枝落とし作業において、その作業が簡単で効率よく、よって長時間の作業でも疲労が少なく、且つ良好な切目を持って枝落としができる。
【０００９】
請求項２に記載の手鋸によれば、上記請求項１に記載の構成による効果に加えて、枝落とし主刃はブレードの腹側の略全長に亘って設けられているので、
十分なストロークで枝の切り落とし作業を効率よく行うことができる。一方、枝落とし補助刃はブレードの背側の傾斜案内部に続く領域に部分的に設けられているので、前記傾斜案内部でブレードを枝の間にスムーズに差し入れることができると共に、傾斜案内部の動作に引き続く形で枝落とし補助刃による枝への切筋を確実に且つスムーズに施すことができる。
枝落とし補助刃を全長に設ける場合には、ブレードを枝間にスムーズに差し入れ難くなるが、枝落とし補助刃を全長ではなく傾斜案内部に続く領域に部分的に設けることで、スムーズな切筋を枝に施すことができる。
【００１０】
請求項３に記載の手鋸によれば、上記請求項１又は２に記載の構成による効果に加えて、ブレードの背側の枝落とし補助刃は、ブレードの腹側の枝落とし主刃に比べて、個々の歯を小さく構成してあるので、
枝落とし主刃よりも小さい歯を持たせた枝落とし補助刃により、歯が枝に噛み込んで動かなくなるといったことなく、ごくスムーズに切筋を枝に施すことができる。
【００１１】
請求項４に記載の手鋸によれば、上記請求項１〜３の何れかに記載の構成による効果に加えて、ブレードの背側の枝落とし補助刃は、ブレードの腹側の枝落とし主刃に比べて、個々の歯の傾斜度合を小さく構成してあるので、
枝落とし主刃よりも傾斜度合の小さい歯を持たせた枝落とし補助刃により、歯が枝に噛み込んで動かなくなるといったことなく、切筋をスムーズに枝に施すことができる。
【００１２】
請求項５に記載の手鋸によれば、上記請求項１〜４の何れかに記載の構成による効果に加えて、傾斜案内部は、ブレードの先端部に向けてブレード幅が徐々に小さくなるよう曲面形状に構成すると共に、ブレードの先端部においてはブレードの腹側に湾曲して連続するよう湾曲面に構成してあるので、
傾斜案内部はブレードの先端部が腹側に湾曲しているので、ブレードを枝間に差し入れる場合に、ブレードの先端が枝に引っ掛かり難く、スムーズに枝間に差し入れることができる。
また傾斜案内部はブレードの先端部に向けてブレード幅が徐々に小さくなるよう曲面形状にしているので、枝間に差し込んだブレードを更に奥にスムーズに差し込んで、枝落とし補助刃に達するようにすることができる。
【００１３】
請求項６に記載の手鋸によれば、上記請求項１〜５の何れかに記載の構成による効果に加えて、グリップの腹側の先端部と基端部には滑り止めのための膨出部を構成してあるので、
グリップを握った手が切断作業中にグリップから滑落するのを予防することができる。よって片手での切断作業にも十分に対応することができ、残余の片手に余裕ができるので作業がし易くなる。
【図面の簡単な説明】
【００１４】
【図１】本考案に係る手鋸の実施形態を示す平面図である。
【図２】本考案に係る手鋸の実施形態を示す正面図である。
【図３】本考案に係る手鋸による枝落としの作業手順例（ａ）〜（ｅ）を説明する図である。
【考案を実施するための形態】
【００１５】
以下の図面を参照して、本考案の実施形態に係る手鋸を説明し、本考案の理解に供する。しかし、以下の説明は本考案の実用新案登録請求の範囲に記載の範囲を限定するものではない。
【００１６】
先ず図１、図２を参照して、手鋸１は、グリップ１０とブレード２０とを有する。
グリップ１０は手で把持する部分で、湾曲した形状に構成されている。この湾曲形状は片手で持つのに適している。
一方、ブレード２０には、その腹側２０ａに枝落とし主刃２１が設けられ、背側２０ｂには枝落とし補助刃２２が設けられている。
【００１７】
前記ブレード２０の背側２０ｂは、ブレード２０の基端部から先端部に向けて徐々にブレード幅Ｗが狭くなるように傾斜構成されている。
前記枝落とし主刃２１は、ブレード２０の腹側２０ａの略全長に亘って設けられている。
一方、枝落とし補助刃２２は、ブレード２０の背側２０ｂの一部に設けられている。即ち、ブレード２０の背側２０ｂの先端部から少しの範囲は刃が設けられていない傾斜案内部２３が設けられており、その傾斜案内部２３に続く領域に部分的に枝落とし補助刃２２が設けられている。
【００１８】
前記傾斜案内部２３は、ブレード２０の背側２０ｂの先端部から全長の１／４乃至１／２の部分に設けることができる。本実施例では、先端部から全長の１／４程度の部分を傾斜案内部２３としている。
前記枝落とし補助刃２２は、本実施例では、背側２０ｂの前記傾斜案内部２３に続く領域に、背側２０ｂの基端付近を除いて、ほぼ全域に亘って設けられている。
【００１９】
前記枝落とし主刃２１と枝落とし補助刃２２は、引き鋸用の刃に構成している。即ち、各歯２１ａ、２２ｂはグリップ１０方向に傾斜して構成している。勿論、枝落とし主刃２１も枝落とし補助刃２２も、必ずしも引き鋸用の刃で有る必要はない。押刃であっても可能である。
【００２０】
前記枝落とし補助刃２２を構成する各歯２２ａは、枝落とし主刃２１を構成する各歯２１ａよりも、歯の大きさを小さくしている。また枝落とし補助刃２２を構成する各歯２２ａは、枝落とし主刃２１を構成する各歯２１ａよりも、歯の傾斜度合を小さく構成している。
【００２１】
前記傾斜案内部２３は、ブレード２０の先端部に向けてブレード幅Ｗが徐々に小さくなるように、曲面形状に構成すると共に、ブレード２０の先端部においては、ブレード２０の腹側２０ａに湾曲して連続するよう湾曲面２３ａに構成している。
傾斜案内部２３をブレード２０の先端部に向けて先細りになるようにすると共に、先端部を湾曲面２３にすることによって、枝が密生している場合でも枝間の空間に容易に、引っ掛かることなく、ブレード２０を差し入れることができる。
【００２２】
グリップ１０は、その腹側の先端部と基端部には、滑り止めのための膨出部１１、１２を構成している。
【００２３】
図３を用いて、本実施形態の手鋸１による小枝落としの作業手順例を説明する。
先ず図３の（ａ）を参照して、手鋸１のグリップ１０を片手で持ち、ブレード２０の先端部から、矢符で示すように、枝間等に差し入れて行き、切断しようとする目的の枝Ｂの切断予定位置の下側にブレード２０の背側２０ｂの枝落とし補助刃２２がくるように移動させる。
【００２４】
次に図３（ｂ）を参照して、目的の枝Ｂの切断予定位置の下側に対して枝落とし補助刃２２を現に当接させ、矢符で示すように、手鋸１を手前に引く。これにより枝落とし補助刃２２が枝Ｂの下側を切り込み、切筋Ｃを付ける。
【００２５】
図３（ｃ）を参照して、手鋸１を更に手前に引くことで、ブレード２０の背側２０ｂの傾斜案内部２３が前記枝落とし補助刃２２による切筋Ｃに嵌った状態で先端部の湾曲面２３ａまで案内される。
【００２６】
そして図３（ｄ）に示すように、この状態で手鋸１のブレード２０の先端部を枝Ｂの上側に移動させることで、前記切筋Ｃにほぼ対応する枝Ｂの上側位置に、ブレード２０の腹側２０ａの枝落とし主刃２１を対応させることができる。この状態で、矢符で示す方向に手鋸１を移動させて、枝Ｂの上側に枝落とし主刃２１を当接させる。
【００２７】
次に図３（ｅ）を参照して、枝Ｂの上側に枝落とし主刃２１を当接させた状態で、矢符で示すように、手鋸１を手前に引くことで、枝落とし主刃２１が枝Ｂを上側から切り込んでいき、切断する。この際、予め切筋Ｃが枝落とし主刃２１による上からの切り込みに対して設けられているので、上からの切り込みが切筋Ｃと略合致し、或いは相互に連絡されて、従って枝Ｂの下皮等が一部切れ残ったまま残る等の切断不良が生じることなく、枝Ｂの確実な切り離しが達成される。
そして作業者は、作業中において、手鋸１の向きを上下反転させたりすることなく、即ち掌を返したりすることなく、一連の枝落とし作業を容易に、速やかに行うことができる。
【産業上の利用可能性】
【００２８】
本考案の手鋸は、果樹園やその他において、樹木等の枝の切り落としを好ましく行うことができる手鋸として、産業上の利用可能性が大きい。
【符号の説明】
【００２９】
１            手鋸
１０          グリップ
１１、１２    膨出部
２０          ブレード
２０ａ        腹側
２０ｂ        背側
２１          枝落とし主刃
２１ａ        歯
２２          枝落とし補助刃
２２ａ        歯
２３          傾斜案内部
２３ａ        湾曲面
Ｗ            ブレード幅
Ｂ            枝
Ｃ            切筋
【図１】
0003213441.tif 000003
【図２】
0003213441.tif 000004
【図３】
0003213441.tif 000005